(57)【要約】【課題】光伝送システムの信頼性を向上する。【解決手段】光伝送システム１は、光分岐部１２によって分配される光信号を増幅して出力するＮ個の光増幅器１３及びＭ個の光増幅器１４と、光増幅器１３から出力される光信号をそれぞれ入力するＮ個の光分岐部５３と、光増幅器１４から出力される光信号の各々を光分岐部５３のいずれかに選択的に出力する光切替部５１と、光増幅器１３の動作状態を監視する監視制御部５５と、を備え、光切替部５１は、対応する光増幅器１４から出力される光信号を光分岐部５３のいずれかに選択的に出力するＭ個の光スイッチ４１を備え、監視制御部５５は、光増幅器１３の故障を検知すると、故障した光増幅器１３の光出力を停止させるとともに、光増幅器１４から出力される光信号のいずれかを故障した光増幅器１３に対応する光分岐部５３に出力するように光切替部５１を制御する。【選択図】図２
2015139098.tif 000002
【特許請求の範囲】
【請求項１】
入力された光信号を分配する第１光分岐部と、
前記第１光分岐部によって分配される光信号を増幅し、増幅した光信号を出力するＮ（Ｎは２以上の整数）個の運用系光増幅器と、
前記第１光分岐部によって分配される光信号を増幅し、増幅した光信号を出力するＭ（Ｍは１以上の整数であって、Ｎより小さい）個の予備系光増幅器と、
前記Ｎ個の運用系光増幅器の各々に対応して設けられ、対応する運用系光増幅器から出力される光信号をそれぞれ入力するＮ個の第２光分岐部と、
前記Ｍ個の予備系光増幅器から出力される光信号の各々を前記Ｎ個の第２光分岐部のいずれかに選択的に出力する光切替部と、
前記Ｎ個の運用系光増幅器の動作状態を監視する監視制御部と、
を備え、
前記光切替部は、前記Ｍ個の予備系光増幅器に対応して設けられ、対応する予備系光増幅器から出力される光信号を前記Ｎ個の第２光分岐部のいずれかに選択的に出力するＭ個の光スイッチを備え、
前記監視制御部は、前記Ｎ個の運用系光増幅器のいずれかが故障したことを検知すると、故障した運用系光増幅器の光出力を停止させるとともに、前記Ｍ個の予備系光増幅器から出力される光信号のいずれかを前記故障した運用系光増幅器に対応する前記第２光分岐部に出力するように前記光切替部を制御する、光伝送システム。
【請求項２】
前記光切替部は、前記Ｎ個の第２光分岐部に対応して設けられ、入力される光信号を合波して出力するＮ個の分岐部をさらに備え、
前記Ｍ個の光スイッチの各々は、前記Ｎ個の分岐部に光学的に接続されており、対応する予備系光増幅器から出力される光信号を前記Ｎ個の分岐部を介して前記Ｎ個の第２光分岐部のいずれかに選択的に出力する、請求項１に記載の光伝送システム。
【請求項３】
前記Ｍ個の光スイッチのうちの１の光スイッチは、前記Ｎ個の第２光分岐部のうちの２以上の第２光分岐部に光学的に接続されており、前記Ｍ個の予備系光増幅器のうちの１の予備系光増幅器から出力される光信号を前記２以上の第２光分岐部のいずれかに選択的に出力する、請求項１に記載の光伝送システム。
【請求項４】
前記Ｍ個の光スイッチのうちの他の光スイッチは、前記Ｎ個の第２光分岐部のうちの他の２以上の第２光分岐部に光学的に接続されており、前記Ｍ個の予備系光増幅器のうちの他の予備系光増幅器から出力される光信号を前記他の２以上の第２光分岐部のいずれかに選択的に出力する、請求項３に記載の光伝送システム。
【請求項５】
前記監視制御部は、前記Ｎ個の運用系光増幅器の各々に電気的に接続されており、前記Ｎ個の運用系光増幅器の各々の電圧値に基づいて前記Ｎ個の運用系光増幅器の各々の動作状態を検知する、請求項１〜請求項４のいずれか一項に記載の光伝送システム。
【請求項６】
Ｎ（Ｎは２以上の整数）個の運用系光増幅器の各々に対応して設けられ、対応する運用系光増幅器から出力される光信号をそれぞれ入力するＮ個の光分岐部と、
Ｍ（Ｍは１以上の整数であって、Ｎより小さい）個の予備系光増幅器から出力される光信号の各々を前記Ｎ個の光分岐部のいずれかに選択的に出力する光切替部と、
前記Ｎ個の運用系光増幅器の動作状態を監視する監視制御部と、
を備え、
前記光切替部は、前記Ｍ個の予備系光増幅器に対応して設けられ、対応する予備系光増幅器から出力される光信号を前記Ｎ個の光分岐部のいずれかに選択的に出力するＭ個の光スイッチを備え、
前記監視制御部は、前記Ｎ個の運用系光増幅器のいずれかが故障したことを検知すると、故障した運用系光増幅器の光出力を停止させるとともに、前記Ｍ個の予備系光増幅器から出力される光信号のいずれかを前記故障した運用系光増幅器に対応する前記光分岐部に出力するように前記光切替部を制御する、
光切替装置。
【請求項７】
前記光切替部は、前記Ｎ個の光分岐部に対応して設けられ、入力される光信号を合波して出力するＮ個の分岐部をさらに備え、
前記Ｍ個の光スイッチの各々は、前記Ｎ個の分岐部に光学的に接続されており、対応する予備系光増幅器から出力される光信号を前記Ｎ個の分岐部を介して前記Ｎ個の光分岐部のいずれかに選択的に出力する、請求項６に記載の光切替装置。
【請求項８】
前記Ｍ個の光スイッチのうちの１の光スイッチは、前記Ｎ個の光分岐部のうちの２以上の光分岐部に光学的に接続されており、前記Ｍ個の予備系光増幅器のうちの１の予備系光増幅器から出力される光信号を前記２以上の光分岐部のいずれかに選択的に出力する、請求項６に記載の光切替装置。
【請求項９】
前記Ｍ個の光スイッチのうちの他の光スイッチは、前記Ｎ個の光分岐部のうちの他の２以上の光分岐部に光学的に接続されており、前記Ｍ個の予備系光増幅器のうちの他の予備系光増幅器から出力される光信号を前記他の２以上の光分岐部のいずれかに選択的に出力する、請求項８に記載の光切替装置。
【請求項１０】
前記監視制御部は、前記Ｎ個の運用系光増幅器の各々に電気的に接続されており、前記Ｎ個の運用系光増幅器の各々の電圧値に基づいて前記Ｎ個の運用系光増幅器の各々の動作状態を検知する、請求項６〜請求項９のいずれか一項に記載の光切替装置。
【発明の詳細な説明】
【技術分野】
【０００１】
本発明は、光伝送システム及び光切替装置に関する。
【背景技術】
【０００２】
光信号を光カプラによって分配し、分配された光信号を光増幅器で増幅する光伝送システムがある。このような光伝送システムの信頼性を向上するために、冗長化は非常に重要である。従来の光伝送システムにおいては、光増幅器の冗長化及び励起レーザダイオードの冗長化等により、システムの信頼性を向上させている。
【０００３】
非特許文献１には、複数の本線（運用系）の光アンプと、予備系の光アンプと、光スイッチと、を備える光伝送システムが記載されている。この光伝送システムでは、運用系の光アンプの異常時に、予備系の光アンプに切り替えている。
【先行技術文献】
【非特許文献】
【０００４】
【非特許文献１】小林啓邦、梶塚秀治、堀中拓郎，“メカニカル光スイッチ技術”，沖テクニカルレビュー，２００４年１０月，第２００号，Ｖｏ１．７１  Ｎｏ．４，ｐ．８１
【発明の概要】
【発明が解決しようとする課題】
【０００５】
上記非特許文献１に記載の光伝送システムでは、運用系の光アンプと予備系の光アンプとを切り替えるためのスイッチング素子を運用系の光アンプごとに設ける必要がある。しかしながら、スイッチング素子等のアクティブ素子は、パッシブ素子と比較して信頼性が低いことが知られている。このため、アクティブ素子の数が増えることによって、光伝送システムの信頼性が低下するおそれがある。
【０００６】
本発明は、信頼性の向上が可能な構造を有する光伝送システム及び光切替装置を提供する。
【課題を解決するための手段】
【０００７】
本発明の一態様に係る光伝送システムは、入力された光信号を分配する第１光分岐部と、第１光分岐部によって分配される光信号を増幅し、増幅した光信号を出力するＮ個の運用系光増幅器と、第１光分岐部によって分配される光信号を増幅し、増幅した光信号を出力するＭ個の予備系光増幅器と、Ｎ個の運用系光増幅器の各々に対応して設けられ、対応する運用系光増幅器から出力される光信号をそれぞれ入力するＮ個の第２光分岐部と、Ｍ個の予備系光増幅器から出力される光信号の各々をＮ個の第２光分岐部のいずれかに選択的に出力する光切替部と、Ｎ個の運用系光増幅器の動作状態を監視する監視制御部と、を備える。光切替部は、Ｍ個の予備系光増幅器に対応して設けられ、対応する予備系光増幅器から出力される光信号をＮ個の第２光分岐部のいずれかに選択的に出力するＭ個の光スイッチを備える。監視制御部は、Ｎ個の運用系光増幅器のいずれかが故障したことを検知すると、故障した運用系光増幅器の光出力を停止させるとともに、Ｍ個の予備系光増幅器から出力される光信号のいずれかを故障した運用系光増幅器に対応する第２光分岐部に出力するように光切替部を制御する。ただし、Ｎは２以上の整数であり、Ｍは１以上の整数であって、Ｎより小さい。
【０００８】
本発明の一態様に係る光切替装置は、Ｎ個の運用系光増幅器の各々に対応して設けられ、対応する運用系光増幅器から出力される光信号をそれぞれ入力するＮ個の光分岐部と、Ｍ個の予備系光増幅器から出力される光信号の各々をＮ個の光分岐部のいずれかに選択的に出力する光切替部と、Ｎ個の運用系光増幅器の動作状態を監視する監視制御部と、を備える。光切替部は、Ｍ個の予備系光増幅器に対応して設けられ、対応する予備系光増幅器から出力される光信号をＮ個の光分岐部のいずれかに選択的に出力するＭ個の光スイッチを備える。監視制御部は、Ｎ個の運用系光増幅器のいずれかが故障したことを検知すると、故障した運用系光増幅器の光出力を停止させるとともに、Ｍ個の予備系光増幅器から出力される光信号のいずれかを故障した運用系光増幅器に対応する光分岐部に出力するように光切替部を制御する。ただし、Ｎは２以上の整数であり、Ｍは１以上の整数であって、Ｎより小さい。
【発明の効果】
【０００９】
本発明の一態様によれば、光伝送システムの信頼性の向上が可能となる。
【図面の簡単な説明】
【００１０】
【図１】第１実施形態に係る光伝送システム及び光切替装置を模式的に示す概略構成図である。
【図２】図１の光伝送システムの光切替部の一例を模式的に示す概略構成図である。
【図３】比較例の光切替部を模式的に示す概略構成図である。
【図４】第２実施形態に係る光伝送システム及び光切替装置を模式的に示す概略構成図である。
【図５】第３実施形態に係る光伝送システム及び光切替装置を模式的に示す概略構成図である。
【図６】図２の光切替部の変形例を模式的に示す概略構成図である。
【発明を実施するための形態】
【００１１】
［本願発明の実施形態の説明］
最初に本発明の実施形態の内容を列記して説明する。
【００１２】
本発明の一態様に係る光伝送システムは、入力された光信号を分配する第１光分岐部と、第１光分岐部によって分配される光信号を増幅し、増幅した光信号を出力するＮ個の運用系光増幅器と、第１光分岐部によって分配される光信号を増幅し、増幅した光信号を出力するＭ個の予備系光増幅器と、Ｎ個の運用系光増幅器の各々に対応して設けられ、対応する運用系光増幅器から出力される光信号をそれぞれ入力するＮ個の第２光分岐部と、Ｍ個の予備系光増幅器から出力される光信号の各々をＮ個の第２光分岐部のいずれかに選択的に出力する光切替部と、Ｎ個の運用系光増幅器の動作状態を監視する監視制御部と、を備える。光切替部は、Ｍ個の予備系光増幅器に対応して設けられ、対応する予備系光増幅器から出力される光信号をＮ個の第２光分岐部のいずれかに選択的に出力するＭ個の光スイッチを備える。監視制御部は、Ｎ個の運用系光増幅器のいずれかが故障したことを検知すると、故障した運用系光増幅器の光出力を停止させるとともに、Ｍ個の予備系光増幅器から出力される光信号のいずれかを故障した運用系光増幅器に対応する第２光分岐部に出力するように光切替部を制御する。ただし、Ｎは２以上の整数であり、Ｍは１以上の整数であって、Ｎより小さい。
【００１３】
この光伝送システムは、運用系光増幅器の総数Ｎよりも少ない数Ｍの予備系光増幅器を備えている。そして、光信号がＮ個の運用系光増幅器及びＭ個の予備系光増幅器に分配され、Ｎ個の運用系光増幅器によって増幅された光信号は、Ｎ個の第２光分岐部にそれぞれ入力される。Ｎ個の運用系光増幅器のいずれかが故障した場合、監視制御部が、故障した運用系光増幅器の光出力を停止させるとともに、Ｍ個の予備系光増幅器によって増幅された光信号のいずれかを故障した運用系光増幅器に対応する第２光分岐部に出力するように光切替部を制御する。このようにして、運用系光増幅器の数よりも少ない数の予備系光増幅器を用いて、信頼性の向上が図られている。ここで、光スイッチ等のアクティブ素子は、パッシブ素子と比較して信頼性が低いことが知られている。この光伝送システムでは、光切替部は、Ｍ個の予備系光増幅器に対応して設けられるＭ個の光スイッチを備えている。このため、Ｎ個の運用系光増幅器に対応して光スイッチを設ける場合と比較して、光スイッチの数を低減することができる。その結果、光伝送システムの信頼性の向上が可能となる。
【００１４】
光切替部は、Ｎ個の第２光分岐部に対応して設けられ、入力される光信号を合波して出力するＮ個の分岐部をさらに備えてもよい。Ｍ個の光スイッチの各々は、Ｎ個の分岐部に光学的に接続されており、対応する予備系光増幅器から出力される光信号をＮ個の分岐部を介してＮ個の第２光分岐部のいずれかに選択的に出力してもよい。この場合、Ｍ個の予備系光増幅器から出力される光信号の各々をＮ個の第２光分岐部のいずれにも出力することが可能となる。このため、１つの運用系光増幅器当たりの冗長度が向上し、光伝送システムの信頼性のさらなる向上が可能となる。
【００１５】
Ｍ個の光スイッチのうちの１の光スイッチは、Ｎ個の第２光分岐部のうちの２以上の第２光分岐部に光学的に接続されており、Ｍ個の予備系光増幅器のうちの１の予備系光増幅器から出力される光信号を２以上の第２光分岐部のいずれかに選択的に出力してもよい。この場合、１の光スイッチが２以上の第２光分岐部に光学的に直接接続されているので、光切替部は１の光スイッチと２以上の第２光分岐部との間に分岐部を有する必要がない。このため、光切替部の構成の簡易化が可能となる。また、光信号が通過する光デバイスの数が多いほど光信号の損失が大きくなるので、光切替部における損失の低減が可能となる。
【００１６】
Ｍ個の光スイッチのうちの他の光スイッチは、Ｎ個の第２光分岐部のうちの他の２以上の第２光分岐部に光学的に接続されており、Ｍ個の予備系光増幅器のうちの他の予備系光増幅器から出力される光信号を他の２以上の第２光分岐部のいずれかに選択的に出力してもよい。この場合、１の光スイッチが２以上の第２光分岐部に光学的に直接接続され、他の光スイッチが他の２以上の第２光分岐部に光学的に直接接続されている。このため、光伝送システムが２つの予備系光増幅器を備える構成においても、光切替部の構成の簡易化が可能となるとともに、光切替部における損失を低減することが可能となる。
【００１７】
監視制御部は、Ｎ個の運用系光増幅器の各々に電気的に接続されており、Ｎ個の運用系光増幅器の各々の電圧値に基づいてＮ個の運用系光増幅器の各々の動作状態を検知してもよい。この場合、監視制御部がＮ個の運用系光増幅器の各々に電気的に接続されるだけの簡単な構成で、運用系光増幅器の故障を判断することができる。
【００１８】
本発明の一態様に係る光切替装置は、Ｎ個の運用系光増幅器の各々に対応して設けられ、対応する運用系光増幅器から出力される光信号をそれぞれ入力するＮ個の光分岐部と、Ｍ個の予備系光増幅器から出力される光信号の各々をＮ個の光分岐部のいずれかに選択的に出力する光切替部と、Ｎ個の運用系光増幅器の動作状態を監視する監視制御部と、を備える。光切替部は、Ｍ個の予備系光増幅器に対応して設けられ、対応する予備系光増幅器から出力される光信号をＮ個の光分岐部のいずれかに選択的に出力するＭ個の光スイッチを備える。監視制御部は、Ｎ個の運用系光増幅器のいずれかが故障したことを検知すると、故障した運用系光増幅器の光出力を停止させるとともに、Ｍ個の予備系光増幅器から出力される光信号のいずれかを故障した運用系光増幅器に対応する光分岐部に出力するように光切替部を制御する。ただし、Ｎは２以上の整数であり、Ｍは１以上の整数であって、Ｎより小さい。
【００１９】
この光切替装置では、Ｎ個の運用系光増幅器のいずれかが故障した場合、監視制御部が、故障した運用系光増幅器の光出力を停止させるとともに、Ｍ個の予備系光増幅器によって増幅された光信号のいずれかを故障した運用系光増幅器に対応する光分岐部に出力するように光切替部を制御する。このようにして、運用系光増幅器の数よりも少ない数の予備系光増幅器を用いて、信頼性の向上が図られている。さらにこの光切替装置では、光切替部は、Ｍ個の予備系光増幅器に対応して設けられるＭ個の光スイッチを備えている。このため、Ｎ個の運用系光増幅器に対応して光スイッチを設ける場合と比較して、光スイッチの数を低減することができる。その結果、光切替装置の信頼性の向上が可能となる。
【００２０】
光切替部は、Ｎ個の光分岐部に対応して設けられ、入力される光信号を合波して出力するＮ個の分岐部をさらに備えてもよい。Ｍ個の光スイッチの各々は、Ｎ個の分岐部に光学的に接続されており、対応する予備系光増幅器から出力される光信号をＮ個の分岐部を介してＮ個の光分岐部のいずれかに選択的に出力してもよい。この場合、Ｍ個の予備系光増幅器から出力される光信号の各々をＮ個の光分岐部のいずれにも出力することが可能となる。このため、１つの運用系光増幅器当たりの冗長度が向上し、光伝送システムの信頼性のさらなる向上が可能となる。
【００２１】
Ｍ個の光スイッチのうちの１の光スイッチは、Ｎ個の光分岐部のうちの２以上の光分岐部に光学的に接続されており、Ｍ個の予備系光増幅器のうちの１の予備系光増幅器から出力される光信号を２以上の光分岐部のいずれかに選択的に出力してもよい。この場合、１の光スイッチが２以上の光分岐部に光学的に直接接続されているので、光切替部は１の光スイッチと２以上の光分岐部との間に分岐部を有する必要がない。このため、光切替部の構成の簡易化が可能となる。また、光信号が通過する光デバイスの数が多いほど光信号の損失が大きくなるので、光切替部における損失の低減が可能となる。
【００２２】
Ｍ個の光スイッチのうちの他の光スイッチは、Ｎ個の光分岐部のうちの他の２以上の光分岐部に光学的に接続されており、Ｍ個の予備系光増幅器のうちの他の予備系光増幅器から出力される光信号を他の２以上の光分岐部のいずれかに選択的に出力してもよい。この場合、１の光スイッチが２以上の光分岐部に光学的に直接接続され、他の光スイッチが他の２以上の光分岐部に光学的に直接接続されている。このため、光伝送システムが２つの予備系光増幅器を備える構成においても、光切替部の構成の簡易化が可能となるとともに、光切替部における損失を低減することが可能となる。
【００２３】
監視制御部は、Ｎ個の運用系光増幅器の各々に電気的に接続されており、Ｎ個の運用系光増幅器の各々の電圧値に基づいてＮ個の運用系光増幅器の各々の動作状態を検知してもよい。この場合、監視制御部がＮ個の運用系光増幅器の各々に電気的に接続されるだけの簡単な構成で、運用系光増幅器の故障を判断することができる。
【００２４】
［本願発明の実施形態の詳細］
本発明の実施形態に係る光伝送システム及び光切替装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２５】
（第１実施形態）
図１は、第１実施形態に係る光伝送システム及び光切替装置を模式的に示す概略構成図である。図１に示されるように、光伝送システム１は、入力された光信号を分配するシステムである。光伝送システム１は、例えば、光入力部１１と、光分岐部１２（第１光分岐部）と、光増幅器１３（運用系光増幅器）と、光増幅器１４（予備系光増幅器）と、光切替装置１５と、光分岐部１６と、光出力部１７と、を備えている。なお、以下の説明において、参照符号「ＸＫ」は、参照符号「Ｘ」で示される構成要素のうちＫ番目のものを意味するものとし、それぞれを区別して説明する必要がない場合には単に参照符号「Ｘ」が用いられる。
【００２６】
光入力部１１は、光信号を入力するための部分である。光入力部１１は、例えば光送信機から出力された光信号を入力する。光分岐部１２は、入力した光信号を（Ｎ＋Ｍ）個の光信号に分波して、分波した光信号を光増幅器１３及び光増幅器１４に分配するための部分である。ここで、Ｍは１以上の整数であり、Ｎは２以上の整数でＭより大きい整数である。つまり、Ｍ，Ｎは整数であって、１≦Ｍ＜Ｎが成り立つ。光分岐部１２は、例えば光カプラである。光分岐部１２は、１つの入力端子と、（Ｎ＋Ｍ）個の出力端子と、を有している。各出力端子は、光増幅器１３及び光増幅器１４の入力端子のいずれかに１対１で光学的に接続されている。光分岐部１２は、光入力部１１に入力された光信号を入力端子から入力し、入力した光信号を各出力端子から光増幅器１３及び光増幅器１４の各々に分配する。
【００２７】
光増幅器１３は、運用系の光増幅器であり、Ｎ個の光増幅器１３１〜１３Ｎからなる。光増幅器１３１〜１３Ｎの各々は、光分岐部１２によって分配される光信号を増幅し、増幅した光信号を出力端子から光切替装置１５に出力する。光増幅器１４は、予備系の光増幅器であり、Ｍ個の光増幅器１４１〜１４Ｍからなる。光増幅器１４１〜１４Ｍの各々は、光分岐部１２によって分配される光信号を増幅し、増幅した光信号を出力端子から光切替装置１５に出力する。
【００２８】
光切替装置１５は、光増幅器１３又は光増幅器１４によって増幅された光信号を光分岐部１６に分配する装置である。光切替装置１５は、光切替部５１と、光分岐部５３（第２光分岐部）と、監視制御部５５と、を備えている。光切替部５１は、Ｍ個の光増幅器１４から出力される光信号の各々をＮ個の光分岐部５３のいずれかに選択的に出力するための部分である。光切替部５１は、Ｍ個の光増幅器１４の出力端子の各々とＮ個の光分岐部５３の入力端子との間の光学的な接続を選択的に切り替える。光切替部５１の具体的な構成は後述される。
【００２９】
光分岐部５３は、光増幅器１３又は光切替部５１から出力された光信号を分波して、分波した光信号を光分岐部１６に分配するための部分である。光分岐部５３は、例えば２つの入力端子と、２つの出力端子と、を有し、いずれかの入力端子から入力した光信号を２つの出力端子に分配して出力する。光分岐部５３は、例えば光カプラである。光分岐部５３は、Ｎ個の光分岐部５３１〜５３Ｎからなる。光分岐部５３の一方の入力端子は、光増幅器１３１〜１３Ｎの出力端子のいずれかに１対１で光学的に接続されている。例えば、光分岐部５３１の一方の入力端子は光増幅器１３１の出力端子に接続され、光分岐部５３２の一方の入力端子は光増幅器１３２の出力端子に接続され、光分岐部５３３の一方の入力端子は光増幅器１３３の出力端子に接続され、光分岐部５３Ｎの一方の入力端子は光増幅器１３Ｎの出力端子に接続されている。つまり、光分岐部５３１〜５３Ｎの各々は、Ｎ個の光増幅器１３１〜１３Ｎの各々に対応して設けられている。光分岐部５３の他方の入力端子は、光切替部５１の出力端子３２のいずれかに１対１で光学的に接続されている。
【００３０】
監視制御部５５は、光増幅器１３の動作状態を監視する機能を有する部分である。監視制御部５５は、例えばＮ個の光増幅器１３１〜１３Ｎの各々に電気的に接続されている。監視制御部５５は、例えば光増幅器１３１〜１３Ｎの各々の電圧値に基づいて光増幅器１３１〜１３Ｎの各々の動作状態を検知する。具体的には、監視制御部５５は、光増幅器１３との電気的な接続点における電圧値と予め定められた電圧値とを比較する。監視制御部５５は、例えば、光増幅器１３との電気的な接続点における電圧値が予め定められた電圧値よりも小さい場合に、その光増幅器１３が故障していると判断してもよい。監視制御部５５は、光増幅器１３との電気的な接続点における電圧値が予め定められた電圧値以上である場合に、その光増幅器１３が正常に動作していると判断してもよい。また、監視制御部５５は、例えば、シリアル通信を介して或る光増幅器１３が故障していることを通知された場合に、その光増幅器１３が故障していると判断してもよく、シリアル通信を介して光増幅器１３が故障していることを通知されない場合に、その光増幅器１３が正常に動作していると判断してもよい。
【００３１】
監視制御部５５は、光増幅器１４の動作状態を監視する機能を有している。監視制御部５５は、例えばＭ個の光増幅器１４１〜１４Ｍの各々に電気的に接続されている。監視制御部５５は、例えば光増幅器１３と同様に、光増幅器１４１〜１４Ｍの各々の電圧値に基づいて光増幅器１４１〜１４Ｍの各々の動作状態を検知する。具体的には、監視制御部５５は、光増幅器１４との電気的な接続点における電圧値と予め定められた電圧値とを比較する。監視制御部５５は、例えば、光増幅器１４との電気的な接続点における電圧値が予め定められた電圧値よりも小さい場合に、その光増幅器１４が故障していると判断してもよく、光増幅器１４との電気的な接続点における電圧値が予め定められた電圧値以上である場合に、その光増幅器１４が正常に動作していると判断してもよい。また、監視制御部５５は、例えば、シリアル通信を介して或る光増幅器１４が故障していることを通知された場合に、その光増幅器１４が故障していると判断してもよく、シリアル通信を介して光増幅器１４が故障していることを通知されない場合に、その光増幅器１４が正常に動作していると判断してもよい。
【００３２】
監視制御部５５は、Ｎ個の光増幅器１３１〜１３Ｎのいずれかが故障したことを検知すると、故障した光増幅器１３の光出力を停止させるとともに、Ｍ個の光増幅器１４１〜１４Ｍから出力される光信号のいずれかを故障した光増幅器１３に対応する光分岐部５３に出力するように光切替部５１を制御する機能を有している。具体的には、監視制御部５５は、故障した光増幅器１３が光出力を停止するように、故障した光増幅器１３に電気信号によって指示する。監視制御部５５は、故障した光増幅器１３に対応する光分岐部５３の他方の入力端子が接続されている光切替部５１の出力端子３２を特定する。監視制御部５５は、光出力を停止している光増幅器１４のいずれかを選択し、選択した光増幅器１４が接続されている光切替部５１の入力端子３１を特定する。監視制御部５５は、特定した光切替部５１の入力端子３１と出力端子３２とが光学的に接続されるように電気信号を用いて光切替部５１を制御する。監視制御部５５は、選択した光増幅器１４を電気信号を用いて動作させる。なお、監視制御部５５は、Ｍ個の光増幅器１４１〜１４Ｍのいずれかが故障したことを検知した場合には、光伝送システム１の上位の装置に故障が発生したことを通知する。
【００３３】
光分岐部１６は、光切替装置１５から出力された光信号をさらに分波して、分波した光信号を光出力部１７に分配するための部分である。光分岐部１６は、例えば光カプラである。光分岐部１６は、例えば、１つの入力端子と、２つの出力端子と、を有している。光分岐部１６の入力端子は、Ｎ個の光分岐部５３１〜５３Ｎの出力端子のいずれかに接続されている。つまり、光分岐部１６は、Ｎ個の光分岐部５３１〜５３Ｎの各々に対応して設けられている。例えば、１つの光分岐部５３に対して２つの光分岐部１６が設けられている。光分岐部１６は、対応する光分岐部５３から出力された光信号を入力端子から入力し、入力した光信号を２つの出力端子に分配して出力する。
【００３４】
光出力部１７は、光分岐部１６によって分配された光信号を出力するための部分である。光出力部１７は、例えば、さらに光分岐部に接続されてもよく、光受信機に接続されてもよい。
【００３５】
次に、光切替部５１の具体的な構成が説明される。図２は、光伝送システム１の光切替部５１の一例を模式的に示す概略構成図である。図２に示されるように、光切替部５１は、Ｍ個の入力端子３１１〜３１Ｍと、Ｎ個の出力端子３２１〜３２Ｎと、を有している。入力端子３１１〜３１Ｍの各々は、光増幅器１４１〜１４Ｍのいずれかの出力端子に１対１で光学的に接続されている。例えば、入力端子３１１は光増幅器１４１の出力端子に接続され、入力端子３１Ｍは光増幅器１４Ｍの出力端子に接続されている。出力端子３２１〜３２Ｎの各々は、光分岐部５３１〜５３Ｎのいずれかの他方の入力端子に１対１で光学的に接続されている。例えば、出力端子３２１は光分岐部５３１の他方の入力端子に接続され、出力端子３２Ｎは光分岐部５３Ｎの他方の入力端子に接続されている。
【００３６】
光切替部５１は、Ｍ個の光スイッチ４１１〜４１Ｍと、Ｎ個の分岐部４３１〜４３Ｎと、を備えている。Ｍ個の光スイッチ４１１〜４１Ｍの各々は、Ｍ個の入力端子３１１〜３１Ｍに対応して設けられ、１つの入力端子とＮ個の出力端子とを有している。光スイッチ４１の入力端子は、対応する入力端子３１に１対１で光学的に接続されている。光スイッチ４１の出力端子の各々は、分岐部４３１〜４３Ｎのいずれかに１対１で光学的に接続されている。つまり、Ｍ個の光スイッチ４１１〜４１Ｍの各々は、Ｍ個の光増幅器１４１〜１４Ｍの各々に対応して設けられており、対応する光増幅器１４から出力される光信号をＮ個の分岐部４３１〜４３Ｎのいずれかに選択的に出力する。光スイッチ４１１〜４１Ｍの各々は、監視制御部５５からの電気信号によって、入力端子に光学的に接続される出力端子が切り替えられ、いずれの分岐部４３１〜４３Ｎに光信号を出力するかが制御される。
【００３７】
Ｎ個の分岐部４３１〜４３Ｎの各々は、Ｎ個の出力端子３２１〜３２Ｎに対応して設けられている。分岐部４３の出力端子は、対応する出力端子３２に１対１で光学的に接続されている。つまり、Ｎ個の分岐部４３１〜４３Ｎの各々は、Ｎ個の光分岐部５３１〜５３Ｎの各々に対応して設けられており、入力される光信号を合波して対応する出力端子３２から出力する。
【００３８】
次に、光伝送システム１の動作が説明される。光入力部１１に入力された光信号は、光分岐部１２によって光増幅器１３１〜１３Ｎ及び光増幅器１４１〜１４Ｍに分配される。光増幅器１３１〜１３Ｎがすべて正常に動作している場合、光増幅器１３１〜１３Ｎに分配された光信号は、増幅されて対応する光分岐部５３に出力される。そして、光分岐部５３に入力された光信号は、光分岐部１６を介して光出力部１７から出力される。このとき、光増幅器１４１〜１４Ｍは光出力を停止している。
【００３９】
ここで、Ｎ個の光増幅器１３１〜１３Ｎのいずれかが故障した場合、監視制御部５５は故障した光増幅器１３の光出力を停止させる。そして、監視制御部５５は、故障した光増幅器１３に対応する光分岐部５３の他方の入力端子が接続されている光切替部５１の出力端子３２を特定する。次に、監視制御部５５は、光出力を停止している光増幅器１４のいずれかを選択し、選択した光増幅器１４が接続されている光切替部５１の入力端子３１を特定する。そして、監視制御部５５は、特定した入力端子３１と特定した出力端子３２とが光学的に接続されるように光切替部５１を制御した後、選択した光増幅器１４を動作させる。なお、光出力を停止している光増幅器１４のいずれを選択するかは、任意の方法により決定される。
【００４０】
このような一連の動作が行われることにより、運用系の光増幅器１３のいずれかが故障した場合に、予備系の光増幅器１４に切り替えて動作させる。このようにして、光伝送システム１では、運用系の光増幅器１３の数よりも少ない数の予備系の光増幅器１４を用いて、光伝送システム１の信頼性の向上が図られている。
【００４１】
図３は、比較例の光切替部を模式的に示す概略構成図である。図３に示されるように、光切替部１５１は、Ｎ個の光スイッチ１４１１〜１４１Ｎと、Ｍ個の分岐部１４３１〜１４３Ｍと、を備えている。Ｍ個の分岐部１４３１〜１４３Ｍの各々は、Ｍ個の入力端子３１１〜３１Ｍの各々に対応して設けられている。分岐部１４３の入力端子は、対応する入力端子３１に１対１で光学的に接続されている。分岐部１４３の各々は、光スイッチ１４１１〜１４１Ｎのそれぞれに光学的に接続されている。つまり、Ｍ個の分岐部１４３１〜１４３Ｍの各々は、Ｍ個の光増幅器１４１〜１４Ｍの各々に対応して設けられており、対応する光増幅器１４から出力される光信号を分波して光スイッチ１４１１〜１４１Ｎのそれぞれに分配する。
【００４２】
Ｎ個の光スイッチ１４１１〜１４１Ｎの各々は、Ｎ個の出力端子３２１〜３２Ｎの各々に対応して設けられている。光スイッチ１４１は、Ｍ個の入力端子と、１つの出力端子と、を有している。光スイッチ１４１の入力端子の各々は、Ｍ個の分岐部１４３１〜１４３Ｍのいずれかに１対１で光学的に接続されている。光スイッチ１４１の出力端子は、対応する出力端子３２に１対１で光学的に接続されている。つまり、Ｎ個の光スイッチ１４１１〜１４１Ｎの各々は、Ｎ個の光分岐部５３１〜５３Ｎの各々に対応して設けられており、Ｎ個の分岐部１４３１〜１４３Ｍから入力される光信号のいずれかを選択して、対応する光分岐部５３に出力する。
【００４３】
このように、光切替部１５１は、Ｍ個の光増幅器１４の出力端子の各々とＮ個の光分岐部５３の他の入力端子の各々との間の光学的な接続を選択的に切り替える部分であって、光切替部５１と同等の機能を有している。
【００４４】
ここで、光スイッチ等のアクティブ素子は、光カプラ等のパッシブ素子と比較して故障しやすいなどの理由から、信頼性が低いことが知られている。このため、アクティブ素子の数が増えることによって、光伝送システムの信頼性が低下するおそれがある。この点について、光切替部１５１は、Ｎ個の光スイッチ１４１１〜１４１Ｎと、Ｍ個の分岐部１４３１〜１４３Ｍと、を備えているのに対し、光切替部５１は、Ｍ個の光スイッチ４１１〜４１Ｍと、Ｎ個の分岐部４３１〜４３Ｎと、を備えている。ＭはＮよりも小さいので、光切替部１５１と比較して光切替部５１では光スイッチの数を低減することができる。その結果、光伝送システム１及び光切替装置１５の信頼性を向上することが可能となる。
【００４５】
また、アクティブ素子は、パッシブ素子と比較してサイズが大きく、コストが高いことが知られている。このため、光切替部１５１と比較して光切替部５１では小型化及びコストダウンが可能となる。
【００４６】
また、光切替部５１では、Ｍ個の光スイッチ４１１〜４１Ｍの各々は、Ｎ個の分岐部４３１〜４３Ｎに光学的に接続されており、対応する光増幅器１４から出力される光信号をＮ個の分岐部４３１〜４３Ｎを介してＮ個の光分岐部５３１〜５３Ｎのいずれかに選択的に出力するように構成されている。このため、Ｍ個の光増幅器１４１〜１４Ｍから出力される光信号の各々をＮ個の光分岐部５３１〜５３Ｎのいずれにも出力することが可能となる。これにより、１つの光増幅器１３当たりの冗長度が向上し、光伝送システム１の信頼性のさらなる向上が可能となる。
【００４７】
（第２実施形態）
図４は、第２実施形態に係る光伝送システム及び光切替装置を模式的に示す概略構成図である。図４に示されるように、光伝送システム１Ａは、上位システム２と、監視部１０と、をさらに備える点、光切替装置１５に代えて光切替装置１５Ａを備える点で光伝送システム１と相違する。なお、図示されていないが、光伝送システム１と同様に、監視制御部５５は、Ｎ個の光増幅器１３１〜１３Ｎ及びＭ個の光増幅器１４１〜１４Ｍの各々に電気的に接続されている。
【００４８】
監視部１０は、光増幅器１３及び光増幅器１４の動作状態を監視する機能を有する部分である。監視部１０は、例えばＮ個の光増幅器１３１〜１３Ｎ及びＭ個の光増幅器１４１〜１４Ｍの各々に電気的に接続されている。監視部１０は、例えば光増幅器１３１〜１３Ｎ及び光増幅器１４１〜１４Ｍの各々の電圧値に基づいて、光増幅器１３１〜１３Ｎ及び光増幅器１４１〜１４Ｍの各々の動作状態を検知する。具体的には、監視部１０は、光増幅器１３又は光増幅器１４との電気的な接続点における電圧値と予め定められた電圧値とを比較する。監視部１０は、例えば、光増幅器１３又は光増幅器１４との電気的な接続点における電圧値が予め定められた電圧値よりも小さい場合に、その光増幅器１３又は光増幅器１４が故障していると判断してもよい。監視部１０は、光増幅器１３又は光増幅器１４との電気的な接続点における電圧値が予め定められた電圧値以上である場合に、その光増幅器１３又は光増幅器１４が正常に動作していると判断してもよい。また、監視部１０は、例えば、シリアル通信を介して或る光増幅器１３又は光増幅器１４が故障していることを通知された場合に、その光増幅器１３又は光増幅器１４が故障していると判断してもよく、シリアル通信を介して光増幅器１３又は光増幅器１４が故障していることを通知されない場合に、その光増幅器１３又は光増幅器１４が正常に動作していると判断してもよい。監視部１０は、検知した光増幅器１３１〜１３Ｎ及び光増幅器１４１〜１４Ｍの各々の動作状態をネットワークＮＷを介して上位システム２に送信する。
【００４９】
上位システム２は、ネットワークＮＷに接続された光伝送システムを一元管理するシステムである。上位システム２は、ネットワークＮＷを介して監視部１０及び光切替装置１５Ａと通信可能である。上位システム２は、監視部１０から送信される光増幅器１３１〜１３Ｎ及び光増幅器１４１〜１４Ｍの各々の動作状態を収集する。上位システム２は、光増幅器１３及び光増幅器１４の動作状態に基づいて、監視制御部５５に光切替部５１の切替制御、並びに、光増幅器１３及び光増幅器１４の出力制御を行うための指示を送信する。なお、光切替部５１の切替制御、並びに、光増幅器１３及び光増幅器１４の出力制御の詳細については、第１実施形態と同様であるので、それらの説明は省略される。
【００５０】
光切替装置１５Ａは、監視制御部５５が上位システム２からの指示に応じて、光切替部５１の切替制御、並びに、光増幅器１３及び光増幅器１４の出力制御を行う点で、光切替装置１５と相違する。監視制御部５５は、ネットワークＮＷを介して上位システム２から光増幅器１３の光出力の停止指示、光増幅器１４の光出力の開始指示、光切替部５１の切替指示等を受信し、その指示に応じて制御を行う。但し、本実施形態では、監視制御部５５からの指示により、監視部１０が光増幅器１３及び光増幅器１４の出力制御を行ってもよい。
【００５１】
以上の光伝送システム１Ａでは、上位システム２によって、光伝送システム１Ａ内の光増幅器１３及び光増幅器１４の動作状態を一元管理できる。また、監視部１０が光増幅器１３及び光増幅器１４の動作状態を監視するので、監視制御部５５を簡略化できる。
【００５２】
（第３実施形態）
図５は、第３実施形態に係る光伝送システム及び光切替装置を模式的に示す概略構成図である。図５に示されるように、光伝送システム１Ｂは、監視部１０、光入力部１１、光分岐部１２及び光増幅器１３で構成される第１系統に加えて、監視部２０、光入力部２１、光分岐部２２及び光増幅器２３で構成される第２系統を含む点、光切替装置１５Ａに代えて光切替装置１５Ｂを備える点で光伝送システム１Ａと相違する。なお、図示されていないが、監視制御部５５は、Ｎ個の光増幅器１３１〜１３Ｎ、Ｍ個の光増幅器１４１〜１４Ｍ及びＬ個の光増幅器２３１〜２３Ｌの各々に電気的に接続されている。
【００５３】
光入力部２１は、光信号を入力するための部分である。光入力部２１は、例えば光送信機から出力された光信号を入力する。光分岐部２２は、入力した光信号をＬ個の光信号に分配するための部分である。ここで、Ｌは１以上の整数である。光分岐部２２は、例えば光カプラである。光分岐部２２は、１つの入力端子と、Ｌ個の出力端子と、を有している。各出力端子は、光増幅器２３の入力端子のいずれかに１対１で光学的に接続されている。光分岐部２２は、光入力部２１に入力された光信号を入力端子から入力し、入力した光信号を各出力端子から光増幅器２３の各々に分配する。
【００５４】
光増幅器２３は、運用系の光増幅器であり、Ｌ個の光増幅器２３１〜２３Ｌからなる。光増幅器２３１〜２３Ｌの各々は、光分岐部２２によって分配される光信号を増幅し、増幅した光信号を出力端子から光切替装置１５Ｂに出力する。
【００５５】
監視部２０は、光増幅器２３の動作状態を監視する機能を有する部分である。監視部２０は、例えばＬ個の光増幅器２３１〜２３Ｌの各々に電気的に接続されている。監視部２０は、例えば光増幅器２３１〜２３Ｌの各々の電圧値に基づいて、光増幅器２３１〜２３Ｌの各々の動作状態を検知する。具体的な検知方法は監視部１０の検知方法と同様であるので、その説明は省略される。監視部２０は、検知した光増幅器２３１〜２３Ｌの各々の動作状態をネットワークＮＷを介して上位システム２に送信する。
【００５６】
上位システム２は、ネットワークＮＷを介して監視部１０、監視部２０及び光切替装置１５Ｂと通信可能である。上位システム２は、監視部１０から送信される光増幅器１３１〜１３Ｎ及び光増幅器１４１〜１４Ｍの各々の動作状態、並びに、監視部２０から送信される光増幅器２３１〜２３Ｌの各々の動作状態を収集する。上位システム２は、光増幅器１３、光増幅器１４及び光増幅器２３の動作状態に基づいて、監視制御部５５に光切替部５１の切替制御、並びに、光増幅器１３、光増幅器１４及び光増幅器２３の出力制御を行うための指示を送信する。なお、光切替部５１の切替制御、並びに、光増幅器１３、光増幅器１４及び光増幅器２３の出力制御の詳細については、第１実施形態と同様であるので、それらの説明は省略される。
【００５７】
光切替装置１５Ｂは、Ｌ個の光分岐部５３Ｎ＋１〜５３Ｎ＋Ｌをさらに備える点、光切替部５１がＬ個の光分岐部５３Ｎ＋１〜５３Ｎ＋Ｌの各々に光学的に接続されている点、監視制御部５５が光増幅器２３の出力制御をさらに行う点で光切替装置１５と相違する。
【００５８】
光切替部５１は、Ｍ個の光増幅器１４から出力される光信号の各々をＮ＋Ｌ個の光分岐部５３のいずれかに選択的に出力する。つまり、光切替部５１は、Ｍ個の光増幅器１４の出力端子の各々とＮ＋Ｌ個の光分岐部５３の入力端子の各々との間の光学的な接続を選択的に切り替える。
【００５９】
Ｌ個の光分岐部５３Ｎ＋１〜５３Ｎ＋Ｌは、光増幅器２３又は光切替部５１から出力された光信号を分配するための部分である。Ｌ個の光分岐部５３Ｎ＋１〜５３Ｎ＋Ｌの各々は、例えば２つの入力端子と、２つの出力端子と、を有し、いずれかの入力端子から入力した光信号を２つの出力端子に分配して出力する。Ｌ個の光分岐部５３Ｎ＋１〜５３Ｎ＋Ｌの各々は、例えば光カプラである。Ｌ個の光分岐部５３Ｎ＋１〜５３Ｎ＋Ｌの各々の一方の入力端子は、光増幅器２３１〜２３Ｌの出力端子のいずれかに１対１で光学的に接続されている。例えば、光分岐部５３Ｎ＋１の一方の入力端子は光増幅器２３１の出力端子に接続され、光分岐部５３Ｎ＋２の一方の入力端子は光増幅器２３２の出力端子に接続され、光分岐部５３Ｎ＋３の一方の入力端子は光増幅器２３３の出力端子に接続され、光分岐部５３Ｎ＋Ｌの一方の入力端子は光増幅器２３Ｌの出力端子に接続されている。つまり、光分岐部５３Ｎ＋１〜５３Ｎ＋Ｌの各々は、Ｌ個の光増幅器２３１〜２３Ｌの各々に対応して設けられている。Ｌ個の光分岐部５３Ｎ＋１〜５３Ｎ＋Ｌの各々の他方の入力端子は、光切替部５１の出力端子３２のいずれかに１対１で光学的に接続されている。
【００６０】
監視制御部５５は、ネットワークＮＷを介して上位システム２から光増幅器１３又は光増幅器２３の光出力の停止指示、光増幅器１４の光出力の開始指示、光切替部５１の切替指示等を受信し、その指示に応じて制御を行う。但し、本実施形態では、監視制御部５５からの指示により、監視部１０及び監視部２０が光増幅器１３及び光増幅器２３の出力制御を行ってもよい。
【００６１】
以上の光伝送システム１Ｂでは、上位システム２によって、光伝送システム１Ｂ内の光増幅器１３、光増幅器１４及び光増幅器２３の動作状態を一元管理できる。このため、第１系統に属する光増幅器１３だけでなく、第２系統に属する光増幅器２３を含めて、冗長管理を行うことができる。また、監視部１０が光増幅器１３及び光増幅器１４の動作状態を監視し、監視部２０が光増幅器２３の動作状態を監視するので、監視制御部５５を簡略化できる。
【００６２】
なお、本発明に係る光伝送システム及び光切替装置は上記実施形態に限定されない。例えば、光切替装置１５，１５Ａ，１５Ｂは、光分岐部１６を含んでいてもよい。
【００６３】
また、監視制御部５５は、動作している光増幅器１４のいずれかが故障したことを検知すると、故障した光増幅器１４に代えて他の光増幅器１４を動作させてもよい。つまり、監視制御部５５は、故障した光増幅器１４の光出力を停止させるとともに、光出力を停止している光増幅器１４のいずれかを選択する。そして、監視制御部５５は、故障した光増幅器１４に代えて、選択した光増幅器１４から出力される光信号を、光分岐部５３に出力するように光切替部５１を制御してもよい。
【００６４】
また、監視制御部５５は、光出力を停止している光増幅器１４が接続されている光スイッチ４１を定期的に切替動作させてもよい。監視制御部５５は、例えば、光スイッチ４１の入力端子と光学的に接続される出力端子を順番に切り替えるように制御する。スイッチング素子は入力端子と出力端子との接続関係を長時間固定していると、切替動作ができないことがある（稀動作故障）。このため、光スイッチ４１を定期的に動作させることにより、光スイッチ４１の故障を低減することができる。
【００６５】
また、上記実施形態では、監視制御部５５は、光増幅器１３及び光増幅器１４の動作状態を監視する機能を有しているが、少なくとも光増幅器１３の動作状態を監視する機能を有していればよい。
【００６６】
また、光伝送システム１Ｂでは、上位システム２がさらに他の系統に属する光増幅器を含めて冗長管理してもよい。
【００６７】
さらに、光切替部５１は、図２に示された構成に限られない。以下に、光切替部５１の一変形例を示す。
【００６８】
図６は、光切替部５１の変形例を模式的に示す概略構成図である。例えば光伝送システム１，１Ａ，１Ｂが１つの光増幅器１４だけを備える場合、光切替部５１は１つの光スイッチ４１を備えていればよい。この場合、１つの光スイッチ４１がＮ個の光分岐部５３１〜５３Ｎの各々に光学的に直接接続されるので、光切替部５１は１つの光スイッチ４１とＮ個の光分岐部５３１〜５３Ｎとの間に分岐部４３を有する必要がない。このため、光切替部５１の構成の簡易化が可能となる。また、光信号が通過する光デバイスの数が多いほど光信号の損失が大きくなるので、光切替部５１における損失の低減が可能となる。
【００６９】
光伝送システム１，１Ａ，１Ｂが２以上の光増幅器１４を備える場合には、上述の変形例の構成が複数個並列に配置されてもよい。この場合、光分岐部５３は光スイッチ４１ごとにグループ化される。１の光スイッチ４１は、Ｎ個の光分岐部５３のうちの２以上の光分岐部５３に光学的に接続されており、Ｍ個の光増幅器１４のうちの１の光増幅器１４から出力される光信号をＮ個の光分岐部５３のうちの２以上の光分岐部５３のいずれかに選択的に出力する。他の光スイッチ４１は、Ｎ個の光分岐部５３のうちの他の２以上の光分岐部５３に光学的に接続されており、Ｍ個の光増幅器１４のうちの他の光増幅器１４から出力される光信号をＮ個の光分岐部５３のうちの他の２以上の光分岐部５３のいずれかに選択的に出力する。さらに他の光スイッチ４１についても、同様である。つまり、光増幅器１３が光増幅器１４ごとにグループ化され、光増幅器１４はグループ内の光増幅器１３が故障した場合に切り替えられて動作する。
【００７０】
この場合、１の光スイッチ４１が２以上の光分岐部５３に光学的に直接接続され、他の光スイッチ４１が他の２以上の光分岐部５３に光学的に直接接続されている。このため、光伝送システム１，１Ａ，１Ｂが２以上の光増幅器１４を備える構成においても、光切替部５１の構成の簡易化が可能となる。また、光伝送システム１，１Ａ，１Ｂが２以上の光増幅器１４を備える構成においても、光切替部５１における損失を低減することが可能となる。
【００７１】
また、光伝送システム１，１Ａ，１Ｂが２以上の光増幅器１４を備える場合には、図２の光切替部５１及び図６の光切替部５１がいずれも用いられてもよい。
【符号の説明】
【００７２】
１，１Ａ，１Ｂ…光伝送システム、１２…光分岐部（第１光分岐部）、１３…光増幅器（運用系光増幅器）、１４…光増幅器（予備系光増幅器）、１５，１５Ａ，１５Ｂ…光切替装置、４１…光スイッチ、４３…分岐部、５１…光切替部、５３…光分岐部（第２光分岐部）、５５…監視制御部。
【図１】
2015139098.tif 000003
【図２】
2015139098.tif 000004
【図３】
2015139098.tif 000005
【図４】
2015139098.tif 000006
【図５】
2015139098.tif 000007
【図６】
2015139098.tif 000008